(57)【要約】 【課題】  ダクト本体の奥底が深くなった場合にも配線作業を容易に行うことができ、また、長さを容易に調整可能な配線ダクトを提供する。【解決手段】  ダクト本体１を、上下方向に伸びる垂直な基板３と、この基板３の左右両端から前方に垂直状に突出する長尺側板４と短尺側板５とにより構成し、ダクト本体１の先端開口を塞ぐカバー２を、蓋板３１と、蓋板３１に直交して設けられた脚板３２とにより構成する。そして、蓋板３１の端部を長尺側板４の先端に、脚板３２の端部を短尺側板５の先端にそれぞれ着脱可能に係合させて、カバー２をダクト本体１に正逆回転自在に保持させる。さらに、長尺側板４と短尺側板５の両端に、係合突片４２とこれに対応する係合凹部４４を設けて、配線ダクトを一列に連結可能とする。【選択図】    図１
2006006034.tif 000002
【特許請求の範囲】
【請求項１】
基板とこの基板の左右両端から垂直状に突出する二枚の側板とからなるダクト本体を有する配線ダクトにおいて、前記二枚の側板を、長さの異なる長尺側板と短尺側板として基板から段違いに突出させたことを特徴とする配線ダクト。
【請求項２】
ダクト本体の先端開口部を覆うためのカバーを、蓋板とこの蓋板の一端に直交して設けられた脚板とからなるものとして、蓋板の端部を長尺側板の先端に、脚板の端部を短尺側板の先端にそれぞれ着脱可能に係合させて、カバーをダクト本体に正逆回転自在に保持させた請求項１に記載の配線ダクト。
【請求項３】
側板の両端に、複数の配線ダクトを一列に連結するための係合部を設けた請求項１又は２に記載の配線ダクト。
【請求項４】
側板の内側に、配線ホルダを着脱可能に設けた請求項１〜３の何れかに記載の配線ダクト。
【発明の詳細な説明】
【技術分野】
【０００１】
本発明は、電線や光ファイバーなどの配線を収容するために主として配電盤や光接続箱などの内部に取り付けられる配線ダクトの改良に関する。
【背景技術】
【０００２】
配電盤や光接続箱などの内部には電線や光ファイバーなどの配線を収容するための配線ダクトが取り付けられている。従来の配線ダクトは、例えば特許文献１に示されるような形状のものであって、この配線ダクトは、断面がコの字状のダクト本体と、このダクト本体にヒンジにより回転自在に保持された平板状のカバーとからなる。
【０００３】
しかしながら上記構造の配線ダクトは、コの字状に形成したダクト本体の左右両側板の間隔が狭いのでそれらの間に手が入りにくく、したがって側板が長くなった場合にはダクト本体内の底部にまで指先が届かず配線作業がしにくいという問題があった。
【特許文献１】特開２００２−３５９９１０号公報  (図１)
【発明の開示】
【発明が解決しようとする課題】
【０００４】
本発明は上記した従来の問題点を解決して、ダクト本体の底部が深くなった場合にも配線作業を容易に行うことができる配線ダクトを提供するためになされたものである。
【課題を解決するための手段】
【０００５】
上記の課題を解決するためになされた本発明の配線ダクトは、基板とこの基板の左右両端から垂直状に突出する二枚の側板とからなるダクト本体を有する配線ダクトにおいて、前記二枚の側板を、長さの異なる長尺側板と短尺側板として基板から段違いに突出させたことを特徴とするものである。この発明において、ダクト本体の先端開口部を覆うためのカバーを、蓋板とこの蓋板の一端に直交して設けられた脚板とからなるものとして、蓋板の端部を長尺側板の先端に、脚板の端部を短尺側板の先端にそれぞれ着脱可能に係合させて、カバーをダクト本体に正逆回転自在に保持させることができる。また、側板の両端に、複数の配線ダクトを一列に連結するための係合部を設けることができ、さらに、ダクト本体の側板の内側に、配線ホルダを着脱可能に設けることができる。
【発明の効果】
【０００６】
本発明の配線ダクトは、ダクト本体の基板に立設される二枚の側板を、長さを違えて基板から段違いに突出させたので、一方の側板の高さが低い分指先をダクト本体の底部にまで差し込むことができて、配線作業を容易に行うことができる。また、ダクト本体の先端開口部を覆うためのカバーを、蓋板と脚板とからなるＬ型状のものとして、蓋板の端部を長尺側板の先端に着脱可能に係合させ、脚板の端部を短尺側板の先端と着脱可能に係合させたので、カバーをダクト本体に正逆回転自在に保持させることができ、よって配線作業の自由度を大幅に増大させることができる。また、二枚の側板の上下両端に配線ダクト連結用の係合部を設けたので、単位長に形成された複数の配線ダクトを配電盤などの大きさに合わせて一列に連結することができる。さらに、側板の内側に配線ホルダを着脱可能に設けたので、配線の余長をこの配線ホルダに巻きつけて配線ダクト内に収納することができる。
【発明を実施するための最良の形態】
【０００７】
以下に図面を参照しつつ本発明の好ましい実施形態を説明する。
図１、２は、本発明に係る配線ダクトを示す図であって、１はダクト本体、２はダクト本体１の先端開口部を覆うカバーであり、これらは樹脂により製造されている。ダクト本体１は上下方向に細長く伸びる垂直な基板３と、この基板３の左右両端から前方に垂直状に突出する二枚の側板４、５とからなる。この２枚の側板４、５のうち一方の側板４は所要の長さを有する長尺側板４としてあり、他方の側板５はその高さを低めるために長尺側板４より短い短尺側板５としてあって、２枚の側板４、５の先端は段違いに形成してある。
【０００８】
長尺側板４には、板主部６から前方に延出されたＴ型アーム７が複数平行に形成されており、板主部６の上下両端にはＴ型アーム７を中央で半切したΓ型アーム８が形成されている。Γ型アーム８は別の配線ダクトのΓ型アーム８と対になってＴ型アーム７を構成する。そして、隣り合うＴ型アーム７、及びＴ型アーム７とΓ型アーム８の間には配線引き出し用のスリット９が設けられている。
【０００９】
Ｔ型アーム７、Γ型アーム８の先端には、スリット９の先端開口を閉鎖して配線が抜け出すのを防止するための縦棒部１１が設けられている。また、上下両サイドのＴ型アーム７にはカバー２と係合用の太棒部１２が一対設けられている。また板主部６でスリット９の後方位置にはホルダ取り付け用の係合部１３が設けられており、この係合部１３は、穴部１４と、この穴部１４の両端に隙間を残して形成された一対の弾性ブリッジ１５とからなる。そして、この係合部１３に、側面が切り欠かれた半筒状のアダプタホルダ１６が差し込み式で装着されている。ここで、弾性ブリッジ１５はアダプタホルダ１６裏面に設けられた係合突起１７を挟みつけてアダプタホルダ１６を支持している。このアダプタホルダ１６は各スリット９ごとに設けられているので、配線を整然と保持することができる。
【００１０】
また、短尺側板５には、前記係合部１３と同一形状の係合部１３ａが適宜の数設けられていて、この係合部１３には配線余長巻き付け用の配線ホルダが装着される。配線の余長を巻いてこの配線ホルダで保持することにより、配電ダクト内に余長を収納することができる。また、短尺側板５の先端の上下両サイド付近には角穴１８が形成されて、その先にはカバー２装着用の係合棒部１９が設けられている。
【００１１】
一方、カバー２は、寸法が基板１と略同じである蓋板３１と、蓋板３１に直交して設けられた脚板３２とからなる横断面Ｌ型状のものである。蓋板３１には、脚板３２と同方向に突出する係止爪３３が設けられており、この係止爪３３の内部にはΩ状の凹部３４が形成されて、この凹部３４が前記太棒部１２を挟みつけてカバー２をヒンジで固定する。脚板３２は角形に切り込まれて、形成された切り込み部３５の両側に脚部３６が設けられている。なお、この切り込み部３５からも配線を引き出すことが可能である。脚部３６は、長さが長尺側板４と短尺側板５との差に等しく、その先端には前記係止爪３３と同じ形状の係止爪３７が設けられている。この係止爪３７は、短尺側板５の先端に設けられた係合棒部１９と係合してヒンジ部を構成する。
【００１２】
以上のように、カバー２の両側を長尺側板４及び短尺側板５に係合させてヒンジ部を構成したので、例えば長尺側板４側の係合を解除することによって、図１に示すようにカバー２を半時計回りに回転させることができ、一方、短尺側板５側の係合を解除することによって、カバー２を時計回りに回転させることができる。配線ダクトの取り付け状況などに対応して、カバー２を時計回りにも反時計回りにも回転させることができるので、作業の効率を大幅に高めることができる。
【００１３】
また、図１に示す配線ダクトにおいて、長尺側板４並びに短尺側板５の上端側には穴部４１が設けられた係合突片４２が設けられ、長尺側板４並びに短尺側板５の下端部には前記穴部４１に嵌め込み可能な大きさの突起４３を有し、係合突片４２に対応する大きさに凹まされた係合凹部４４が設けられている。したがって、二つの配線ダクトを上下に位置させて上側の配線ダクトの係合凹部４４に設けられた突起４３と、下側の配線ダクトの係合突片４２に形成された穴部４１とを嵌合させることにより、図３に示すように二つの配線ダクトを上下に連設することができる。したがって、単位長に形成された配線ダクトを配電盤や光接続箱などの大きさに合わせて適宜の個数つなげることができるので、連結した配線ダクト全体の長さを容易に調整することができる。
【００１４】
なお、ダクト本体１の基板３には、３条のスリットからなる取付部４５が上下に二箇所設けられており、この取付部４５に配電盤や光接続箱などに設けられた板状などの取付用部材を差し込むことによって、配線ダクトを容易に装着することができる。
【００１５】
以上のように構成された配線ダクトは、図４、５に示すようにして光接続箱などの内部に配設することができる。図示の光接続箱においては、中央に接続トレー５１が多段に積層されて配置されており、この接続トレー５１の段数に等しくスリット９が配置されるように、６段に連ねられた配線ダクト５２が光接続箱内部の左右に取り付けられている。接続トレー５１と配線ダクト５２の間には接続トレー５１と同じ段数に積層された余長トレー５３が配設されている。各々の接続トレー５１、余長トレー５３、スリット５２は、同一水平レベルの高さに設けられている。なお、この余長トレー５３は図６に示すような形状のものである。
以上のようにして配線ダクト５２は光接続箱などの内部に配設されて、積層された接続トレー５１や余長トレー５３への配線供給に使用される。
【００１６】
以上説明したように、本発明の配線ダクトは、ダクト本体を、基板の両側から二枚の側板が長さを違えて段違いに突出されたものとしたので、一方の側板の高さが低い分指先をダクト本体の底部にまで差し込むことができて、配線作業を容易に行うことができる。また、本発明の配線ダクトは、適宜の個数上下方向に連結することができるので、配電盤や光接続箱などの大きさに合わせてその全体の長さを容易に調整することができるという大きな利点を有する。
【図面の簡単な説明】
【００１７】
【図１】本発明に係る配線ダクトを示す斜視図である。
【図２】配線ダクトの側面図である。
【図３】連結された配線ダクトの斜視図である。
【図４】配線ダクトを取り付ける前の配電盤内部を示す斜視図である。
【図５】配線ダクトを取り付けた状態の配電盤内部を示す斜視図である。
【図６】余長トレーの斜視図である。
【符号の説明】
【００１８】
１  ダクト本体
２  カバー
３  基板
４  長尺側板
５  短尺側板
６  板主部
７  Ｔ型アーム
８  Γ型アーム
９  スリット
１１  縦棒部
１２  係合用の太棒部
１３  ホルダ取り付け用の係合部１３
１４  穴部
１５  弾性ブリッジ
１６  アダプタホルダ
１７  係合突起
１８  角穴
１９  係合棒部
３１  蓋板
３２  脚板
３３  係止爪
３４  凹部
３５  切り込み部
３６  脚部
３７  係止爪
４１  穴部
４２  係合突片
４３  突起
４４  係合凹部
４５  取付部
５１  接続トレー
５２  配線ダクト
５３  余長トレー
【図１】
2006006034.tif 000003
【図２】
2006006034.tif 000004
【図３】
2006006034.tif 000005
【図４】
2006006034.tif 000006
【図５】
2006006034.tif 000007
【図６】
2006006034.tif 000008